(57)【特許請求の範囲】
【請求項１】
適宜間隔をおいて立設された支柱の間に塀用パネルが取付けられ、前記塀用パネルは、前壁と後壁との間に形成された溝部を相対向させて左右に配置された２個の縦枠と上下に配置された上胴縁及び下胴縁からなる枠体と、前記枠体に周囲が支持されたパネル本体とを備え、前記パネル本体は、その上端部及び下端部がそれぞれ前部を覆うようにして、該上胴縁及び下胴縁の前部に配置され、両側端部が縦枠の溝部にそれぞれ挿入されるとともに、
前記パネル本体には、後方に向けて突出する突条が縦方向に間隔をおいて多数段形成され、かつ、前記パネル本体の上端部及び下端部には横長の上部支持片及び下部支持片が形成され、
前記上部支持片及び下部支持片には、前記溝部を前後に挿通する固定ボルトが挿通され、
前記固定ボルトと、該固定ボルトに螺合されるナットとによって、前記パネル本体の両側端部の上端部が上胴縁の前部と溝部の前壁との間に挟持され、下端部が下胴縁の前部と溝部の前壁との間に挟持されていることを特徴とする塀。
【発明の詳細な説明】
【技術分野】
【０００１】
本発明は、住宅、工場、公園等の敷地境界部や隣地境界部に沿って取付けられる塀に関するものである。
【背景技術】
【０００２】
住宅、工場、公園等の敷地境界部や隣地境界部に沿って取付けられる塀において、その設置方法としては、設置面に支柱を埋設し、それら支柱の間に、鋼線材を格子状を配置して形成された格子パネルや、矩形の枠体の内側に板材を取付けた塀パネルが取付けられて用いられている。
【０００３】
塀パネルにおいて、枠体は、一般に断面コ字型の枠材を縦横に組み合わされて形成されており、この断面コ字型の内部に板材の端部を挿入して、板材を支持すると共に、板材の端部が外部に露出せず、意匠性を高めることができる。
【０００４】
例えば、特許文献１には、透光性のある合成樹脂によって断面形状を角溝状の波形に形成し、各角溝における一方の側壁を外拡がり状に傾斜する傾斜壁とし、他方の側壁を板面に対して垂直に延びる垂直壁とし、建物の窓等に取り付けるための取付枠に、角溝を横向きにすると共に室外側を向く角溝の傾斜壁を溝の下型に位置させた状態で取り付けた目隠し用波板が提案されている。
【０００５】
また、特許文献２には、フェンス用パネルの縦枠の上下両端部にＬ型の笠木固定金具を配置して笠木固定金具の縦片を縦枠の空洞内に挿入する共に該笠木固定金具の横片にねじ孔を設け、上下の笠木に設けた孔よりねじを挿入して横片のねじ孔に螺合して成るフェンスの構造が提案されている。
【先行技術文献】
【特許文献】
【０００６】
【特許文献１】実公平５−３６９５５号公報
【特許文献２】実公平３−４９２５３号公報
【発明の概要】
【発明が解決しようとする課題】
【０００７】
しかしながら、前記のような目隠し用波板においては、横枠材の内側に縦枠材が挿入され、更にその縦枠材の内側に波板が配置されているので、横枠材と波板と間に隙間が生じて、波板を強固に保持できないおそれがあり、特に波板に強風が当たるとバタツキやすくなるおそれがあった。また前記のフェンスの構造においては、縦枠と上下の笠木とが干渉せず、かつ不要な隙間が生じないように取付けるためには、笠木の側端部が当たる縦枠部分の一部を高精度で切り欠くような加工が必要るものであった。前記いずれも、板材の外周に枠材で取り囲む形態であるため、塀に用いると通行人等に対してやや圧迫感を生じさせる可能性があった。
【０００８】
本発明は、前記の如き問題点を解消し、枠体に対してパネル本体を強固に固定できる塀用パネルが取付けられると共に、意匠性も優れた塀を提供する。
【課題を解決するための手段】
【０００９】
上記目的を達成するために、本発明は次のような構成としている。
すなわちこの発明に係る塀は、適宜間隔をおいて立設された支柱の間に塀用パネルが取付けられ、前記塀用パネルは、前壁と後壁との間に形成された溝部を相対向させて左右に配置された２個の縦枠と上下に配置された上胴縁及び下胴縁からなる枠体と、前記枠体に周囲が支持されたパネル本体とを備え、前記パネル本体は、その上端部及び下端部がそれぞれ前部を覆うようにして、該上胴縁及び下胴縁の前部に配置され、両側端部が縦枠の溝部にそれぞれ挿入されるとともに、前記パネル本体には、後方に向けて突出する突条が縦方向に間隔をおいて多数段形成され、かつ、前記パネル本体の上端部及び下端部には横長の上部支持片及び下部支持片が形成され、前記上部支持片及び下部支持片には、前記溝部を前後に挿通する固定ボルトが挿通され、前記固定ボルトと、該固定ボルトに螺合されるナットとによって、前記パネル本体の両側端部の上端部が上胴縁の前部と溝部の前壁との間に挟持され、下端部が下胴縁の前部と溝部の前壁との間に挟持されていることを特徴とするものである。
【発明の効果】
【００１０】
本発明によれば、パネル本体の両側端部が縦枠の溝部に挿入されると共に、その両側端部の上端部が上胴縁の前部と溝部の前壁との間に挟持され、下端部が下胴縁の前部と溝部の前壁との間に挟持されているので、パネル本体を枠体に容易かつ強固に支持できると共に、上胴縁及び下胴縁の前部がパネル本体の上端部及び下端部で覆われて、正面側からは枠体の縦枠しか現れていないので、パネル本体が枠体で支持されているものでありながら、枠体による圧迫感が低減され、意匠性を高めることができる。
【図面の簡単な説明】
【００１１】
【図１】本発明に係る塀の実施の一形態を示す正面図である。
【図２】図１の背面図である。
【図３】図１のＡ−Ａ断面における、一部省略の拡大断面図である。
【図４】図３のＢ−Ｂ断面における、一部省略の拡大断面図である。
【図５】図１の塀用パネルの上側端部における、一部省略の拡大正面図である。
【図６】図５の背面図である。
【図７】図５のＣ−Ｃ断面における、一部省略の拡大断面図である。
【図８】図１の塀用パネルの下側端部における、一部省略の拡大正面図である。
【図９】図８の背面図である。
【図１０】図８のＤ−Ｄ断面における、一部省略の拡大断面図である。
【図１１】本発明に係る塀における、パネル本体の他の実施形態を示す側面図である。
【図１２】図１の支柱上端付近における、一部省略拡大背面図である。
【図１３】図１２のＥ−Ｅ断面における、一部省略拡大断面図である。
【発明を実施するための形態】
【００１２】
次に、本発明を実施するための最良の形態について図面を参照し、具体的に説明する。
【００１３】
図面において、１は設置面に適宜間隔をおいて立設された支柱、２は支柱１間に取付けられた塀用パネル、３、４は塀用パネル２を構成するパネル本体と枠体であって、本発明に係る塀Ｐは、主に、支柱１、塀用パネル２、パネル本体３及び枠体４とから構成されている。
【００１４】
図１は、本発明に係る塀Ｐの実施の一形態を示す正面図である。支柱１は、一般には強度的に安定しておりコストの安い角パイプ状の鋼管が用いられるが、設置面に立設されるものであって、当該支柱１間に塀用パネル２を取付けることができるものであればよく、例えば、その形状としては、図１に示されるような横断面矩形状以外に、横断面円形状の円筒形状でもよく、横断面Ｔ字状やＨ字状でもよい。また材質としては、鋼製以外としては、ステンレス合金やアルミニウム合金等の他の金属を用いたものでもよい。更に、支柱１の表面に防食性を高めるために亜鉛めっきや塗装等の表面処理を施してもよい。
【００１５】
かかる支柱１は、図１１に示すように、本形態では、上端部にキャップ１１が取付けられて支柱１内に雨水等が浸入しないようになされている。また、本形態では、支柱１の下端部は設置面に埋設されているが、例えば、図示しないが、設置面に支柱１の下端部を固定するための支柱ホルダーを設けて、その支柱ホルダーを介して前記支柱１を立設させてもよい。
【００１６】
塀用パネル２は、パネル本体３と、その周囲に配置されて該パネル本体３を支持する枠体４とを備えており、支柱１の間に取付けられている。
【００１７】
パネル本体３は、一般には本形態のようにアルミニウム合金製の板材が用いられるが、他の金属板や樹脂板、あるいは金属板と樹脂板とを積層させた複合板等を用いてもよい。またパネル本体３の形状は、図３に示すように、本形態では、後方に向けて突出する縦断面略鋸状の突条３１が設けられ、当該突条３１が縦方向に間隔をおいて多数段形成されている。突条３１は、後方に向けて略水平に形成された上壁部３２と、該上壁部３２の後端から下方に位置する上壁部３２の前端に縦壁部３ａを介して接続する下壁部３３とを備えている。
【００１８】
前記上壁部３２は、図４に示すように、横方向に間隔をおいて、上下方向に貫通する通風孔３２ａが設けられている。前記通風孔３２ａを通じて、パネル本体３の前後に通風させ、かつパネル本体３の前面側からは、無孔の縦壁部３ａ及び下壁部３３とによって、後方側が見えないように目隠しがなされている。
【００１９】
次に、塀用パネル２において、図５−１０を参照してパネル本体３と枠体４との連結構造を詳しく説明する。枠体４は、パネル本体３の上端部を支持する上胴縁４１と、パネル本体３の下端部を支持する下胴縁４２と、パネル本体３の左右両側端を支持する縦枠５とを備えており、本形態では、上胴縁４１及び下胴縁４２と左右の縦枠５とが、それぞれの端部で連結されて正面視矩形状に形成されている。
【００２０】
更に詳しく説明すると、縦枠５は、本形態では、前壁５２と後壁５３との間に溝部５１が形成された横断面コ字型であって、前記溝部５１を相対向させて左右に２個配置されている。そして、塀用パネル２の上端部においては、上胴縁４１は、左右の側端部４１ａが前記左右の縦枠５の溝部５１の前壁５２と後壁５３との間に挿入されている。
【００２１】
パネル本体３の上端部は、図３及び図５に示すように、横長で縦壁状の上部支持片３４が形成され、前記上部支持片３４が上胴縁４１の前部を覆うようにして、パネル本体３の上端部が上胴縁の前部に配置されると共に、上部支持片３４の一方の側端部３４ａは、枠体４の一方の縦枠５の溝部５１に挿入されて、前壁５２と上胴縁４１の前部との間に配置されている。そして前記溝部５１の前壁５２に設けられた取付孔５２ａと後壁５３に設けられた取付孔５３ａとの間を前後に挿通する固定ボルトＢ１と、該固定ボルトＢ１に螺合されるナットＮ１とによって、前記上部支持片３４の一方の側端部３４ａが上胴縁４１の前部と溝部５１の前壁５２との間で挟持されている。
【００２２】
また上部支持片３４の他方の側端部３４ａも前記と同様に、溝部５１の前壁５２と上胴縁４１の前部との間に配置され、固定ボルトＢ１とナットＮ１とによって締結されて、前記上部支持片３４の他方の側端部３４ａが上胴縁４１の前部と溝部５１の前壁５２との間で挟持されている。これにより、縦枠５と上胴縁４１とが互いに干渉することなく、かつ上胴縁４１と縦枠５とにより上部支持片３４の両側端部３４ａを固定することができる。
【００２３】
また、塀用パネル２の下端部について、下胴縁４２も、左右の側端部４２ａが前記左右の縦枠５の溝部５１内に挿入されている。そしてパネル本体３の下端部も、横長で縦壁状の下部支持片３５が形成され、前記下部支持片３５が下胴縁４２の前部を覆うようにして、パネル本体３の下端部が下胴縁４２の前部に配置されると共に、下部支持片３５の一方の側端部３５ａは、縦枠５の溝部５１の前壁５２と下胴縁４２の前部との間に挿入されている。そして、前記前壁５２の取付孔５２ａから後壁５３の取付孔５３ａとの間を前後に挿通する固定ボルトＢ１と、ナットＮ１とによって、前記下部支持片３５の一方の側端部３５ａが下胴縁４２の前部と溝部５１の前壁５２との間で挟持されている。
【００２４】
また下部支持片３５の他方の側端部３５ａも前記と同様に、溝部５１の前壁５２と下胴縁４２との間に配置され、固定ボルトＢ１とナットＮ１とによって締結されて、前記下部支持片３５の他方の側端部３５ａが下胴縁４２の前部と溝部５１の前壁５２との間で挟持されている。これにより、縦枠５と下胴縁４２とが互いに干渉することなく、かつ下胴縁４２と縦枠５とにより下部支持片３５の両側端部３５ａを固定することができる。なお、挟持とは、隙間なく圧着した状態で挟んだ状態でもよく、隙間を設けて挟んだ状態でもよい。
【００２５】
したがって、パネル本体３の四隅が、上胴縁４１、下胴縁４２及び縦枠５によって固定されるので、塀用パネル２を強固に形成することができる。なお、固定ボルトＢ１及びナットＮ１の変わりにリベット（図示せず）を用いてもよい。
【００２６】
加えて、パネル本体３の上部支持片３４及び下部支持片３５は、上胴縁４１及び下胴縁４２の前部に覆うようにして配置されており、また縦枠５の溝部５１内にパネル本体３の側端部が挿入されて、パネル本体３の側端部が隠されている。これにより外観上、パネル本体３は、正面側からは上胴縁４１及び下胴縁４２は目立たず、縦枠５によって支持されているものとなるので、一般的に枠体でパネルを囲むことによって生じる重厚感が低減されてすっきりした印象となり、意匠性を高めることができる。
【００２７】
上胴縁４１及び下胴縁４２は、本形態では、縦断面逆Ｕ字型に形成されている。これにより、上胴縁４１及び下胴縁４２内に雨水等が流れ込むことを抑え、上胴縁４１と下胴縁４２とを共用することができる。上胴縁４１及び下胴縁４２の形状は、その側端部が縦枠５の溝部５１内に挿入した状態で、パネル本体３の上部支持片３４を溝部５１の前壁５２と上胴縁４１の間に挟持し、下部支持片３５を前壁５２と下胴縁４２と間に挟持することができればよいので、例えば、縦断面矩形状としてもよく、更にその内部は中空部を設けた角パイプ状でもよく、中実の形態でもよい。
【００２８】
なお、図１１に示すように、パネル本体３の上端部において、縦壁状の上部支持片３４の先端部を後方に折り返して、上胴縁４１の上面の前端部を覆う折返し片３４ｂを形成してもよい。この折返し片３４ｂによっても、正面側からの視認に対して、上胴縁４１を隠すことができる。
【００２９】
次に、塀用パネル２と支柱１との接続構造について、図１２−１３を参考にして説明する。本実施形態では、塀用パネル２は、接続金具６によって隣り合う支柱１の間に取付けられている。接続金具６は、本形態では、支柱１の背面側に沿って配置された支柱取付部６１と、支柱取付部６１の側端部から突出されたパネル取付部６２とを備えている。そして、支柱１を挟んで両側方に塀用パネル２を取付ける場合は、支柱取付部６１の両側端部からそれぞれパネル取付部６２か突出された平面視ハット状に形成され、また支柱１の一方のみに塀用パネル２を取付ける場合は、支柱取付部６１の一方の側端部からパネル取付部６２が突出された平面視キャップ状に形成されている。
【００３０】
支柱１と接続金具６との接続は、支柱１の背面側に沿って支柱取付部６１を配置し、支柱取付部６１の側壁６３にそれぞれ設けられた一方の取付孔（図示せず）から支柱を通って他方の取付孔（図示せず）に向けて取付ボルトＢ２を挿通させて、ナットＮ２を締結することによってなされる。また塀用パネル２と接続金具６との接続は、塀用パネル２の背面側において、縦枠５の背面側にパネル取付部６２を配置し、取付ボルトＢ３をパネル取付部６２の取付孔（図示せず）から縦枠５に前後に貫通させて、ナットＮ３を締結することによってなされる。
【００３１】
接続金具６は、本形態では、塀の上段、中段、下段の上下３段に配置されたものであるが、支柱１と塀用パネル２とを強固に接続できる形態であればよいので、例えば、接続金具６が上下方向に延設されて、塀用パネル２と同程度の上下寸法としたものを用いてもよく、これにより、支柱１と塀用パネル２との間を隠して、意匠性を高めることができる。また本形態の接続金具６は、塀Ｐの背面側に取付けるため、正面側からは接続金具６がほとんど目立たず、意匠性に優れたものとなり、好ましい。
【００３２】
一般に本形態に係る塀Ｐを取付ける場合は、まず適宜間隔をあけて支柱１を立設し、その後塀用パネル２を取付ける場合が多いので、本形態に係る接続金具６を用いた場合、支柱１の側面と塀用パネル２との側面との間に隙間が生じたり、支柱１の間に塀用パネル２が配置できなくなったりするおそれがある。
【００３３】
そこで、本形態では、塀用パネル２の縦枠５の溝部５１において、固定ボルトＢ１が挿通される取付孔５２ａ、取付孔５３ａ及び取付ボルトＢ３が挿通される接続金具６の取付孔６２ａは、横長孔に形成されている。これにより、固定ボルトＢ１が取付孔５２ａに挿通され、かつ取付ボルトＢ３が取付孔６２ａに挿通された範囲で、上胴縁４１及び下胴縁４２に対して縦枠５を左右方向に位置調整することができる。したがって、予め塀用パネル２を組み立てて取付現場で取付ける場合であっても、塀用パネル２の左右方向の寸法調整が容易になされる。なお、固定ボルトＢ１、取付ボルトＢ３が貫通する前記各部材の取付孔において、前記取付孔５２ａ、取付孔５３ａ及び取付孔６２ａのそれぞれの代わりに、固定ボルトＢ１、取付ボルトＢ３が挿通する他の取付孔（図示せず）を横長孔に形成しても同様な効果を得ることができる。
【符号の説明】
【００３４】
１    支柱
１１  キャップ
２    塀用パネル
３    パネル本体
３ａ  縦壁部
３１  突条
３２  上壁部
３２ａ  通風孔
３３  下壁部
３４  上部支持片
３４ａ  側端部
３４ｂ  折返し片
３５  下部支持片
３５ａ  側端部
４    枠体
４１  上胴縁
４１ａ  側端部
４２  下胴縁
４２ａ  側端部
５    縦枠
５１  溝部
５２  前壁
５２ａ  取付孔
５３  後壁
５３ａ  取付孔
６    接続金具
６１  支柱取付部
６２  パネル取付部
６２ａ  取付孔
６３    側壁部
Ｂ１  固定ボルト
Ｂ２、Ｂ３  取付ボルト
Ｎ１、Ｎ２、Ｎ３  ナット
Ｐ    塀
【図１】
0005890201.tif 000002
【図２】
0005890201.tif 000003
【図３】
0005890201.tif 000004
【図４】
0005890201.tif 000005
【図５】
0005890201.tif 000006
【図６】
0005890201.tif 000007
【図７】
0005890201.tif 000008
【図８】
0005890201.tif 000009
【図９】
0005890201.tif 000010
【図１０】
0005890201.tif 000011
【図１１】
0005890201.tif 000012
【図１２】
0005890201.tif 000013
【図１３】
0005890201.tif 000014